(57)【特許請求の範囲】
【請求項１】
複数の読み取り装置の各々にて読み取られた紙幣類の識別情報であって当該複数の読み取り装置の各々から送信されてきた当該識別情報を記憶する識別情報記憶手段と、
前記識別情報の読み取りを行った前記読み取り装置の設置位置に関する位置情報および当該読み取り装置が当該識別情報を読み取った際の時刻情報を記憶する位置／時刻情報記憶手段と、
前記複数の読み取り装置のうちの一の読み取り装置により読み取られ当該一の読み取り装置から送信されてきた識別情報と同一の識別情報が前記識別情報記憶手段に既に記憶されているか否かを判断する判断手段と、
同一の識別情報が前記識別情報記憶手段に既に記憶されていると判断された場合に、当該識別情報記憶手段に既に記録されている当該識別情報の読み取りを行った他の読み取り装置の設置位置に関する位置情報と、前記一の読み取り装置の設置位置に関する位置情報とに基づき、当該他の読み取り装置と当該一の読み取り装置との間を移動するのに要する所要時間を把握する所要時間把握手段と、
同一の識別情報が前記識別情報記憶手段に既に記憶されていると判断された場合に、当該識別情報記憶手段に既に記録されている当該識別情報の読み取りを行った前記他の読み取り装置が当該識別情報を読み取った際の第１の時刻情報と、前記一の読み取り装置が識別情報を読み取った際の第２の時刻情報とに基づき、当該第１の時刻情報により特定される時刻と当該第２の時刻情報により特定される時刻との時間差を把握する時間差把握手段と、
前記所要時間把握手段により把握された前記所要時間と、前記時間差把握手段により把握された前記時間差とを比較する比較手段と、
を含むサーバ。
【請求項２】
印刷装置が紙幣類の印刷を行う際に当該紙幣類の各々に付した識別情報、当該印刷装置の設置位置に関する位置情報、および、当該印刷装置が紙幣類へ当該識別情報を付与した際の時刻に関する時刻情報を、紙幣類毎に記録する記憶手段と、
読み取り装置により紙幣類から読み取られ当該読み取り装置から送信されてきた識別情報と同一の識別情報が前記記憶手段に記憶されている場合に、当該記憶手段に記憶されている当該識別情報を紙幣類へ付与した前記印刷装置の設置位置に関する前記位置情報と、当該読み取り装置の設置位置に関する位置情報とに基づき、当該印刷装置と当該読み取り装置との間を移動するのに要する所要時間を把握する所要時間把握手段と、
前記読み取り装置により紙幣類から読み取られ当該読み取り装置から送信されてきた識別情報と同一の識別情報が前記記憶手段に記憶されている場合に、当該記憶手段に記憶されている当該識別情報を紙幣類へ付与した前記印刷装置が当該付与を行った際の第１の時刻情報と、当該読み取り装置が識別情報を読み取った際の第２の時刻情報とに基づき、当該第１の時刻情報により特定される時刻と当該第２の時刻情報により特定される時刻との時間差を把握する時間差把握手段と、
前記所要時間把握手段により把握された前記所要時間と、前記時間差把握手段により把握された前記時間差とを比較する比較手段と、
を含むサーバ。
【発明の詳細な説明】
【技術分野】
【０００１】
本発明は、偽造を監視する偽造監視システム等に関する。
【背景技術】
【０００２】
証明書などの偽造を発行者等に負担をかけずに困難にするため、用紙に対する印刷動作とスキャン動作とを用紙を排出することなく行う複合装置が提案されている（例えば、特許文献１参照）。
【０００３】
【特許文献１】特開２００５−１５１４６６号公報
【発明の開示】
【発明が解決しようとする課題】
【０００４】
ところで、例えば紙幣や有価証券などの紙幣類における偽造は、近年より巧妙化、高精度化してきており、偽造の判別を行う装置側もこれに対応して複雑化、高機能化してきている。
本発明は、例えば紙幣類や有価証券などにおける偽造の判別をより簡易に行うことが可能なシステム等を提供することにある。
【課題を解決するための手段】
【０００５】
請求項１に記載の発明は、複数の読み取り装置の各々にて読み取られた紙幣類の識別情報であって当該複数の読み取り装置の各々から送信されてきた当該識別情報を記憶する識別情報記憶手段と、前記識別情報の読み取りを行った前記読み取り装置の設置位置に関する位置情報および当該読み取り装置が当該識別情報を読み取った際の時刻情報を記憶する位置／時刻情報記憶手段と、前記複数の読み取り装置のうちの一の読み取り装置により読み取られ当該一の読み取り装置から送信されてきた識別情報と同一の識別情報が前記識別情報記憶手段に既に記憶されているか否かを判断する判断手段と、同一の識別情報が前記識別情報記憶手段に既に記憶されていると判断された場合に、当該識別情報記憶手段に既に記録されている当該識別情報の読み取りを行った他の読み取り装置の設置位置に関する位置情報と、前記一の読み取り装置の設置位置に関する位置情報とに基づき、当該他の読み取り装置と当該一の読み取り装置との間を移動するのに要する所要時間を把握する所要時間把握手段と、同一の識別情報が前記識別情報記憶手段に既に記憶されていると判断された場合に、当該識別情報記憶手段に既に記録されている当該識別情報の読み取りを行った前記他の読み取り装置が当該識別情報を読み取った際の第１の時刻情報と、前記一の読み取り装置が識別情報を読み取った際の第２の時刻情報とに基づき、当該第１の時刻情報により特定される時刻と当該第２の時刻情報により特定される時刻との時間差を把握する時間差把握手段と、前記所要時間把握手段により把握された前記所要時間と、前記時間差把握手段により把握された前記時間差とを比較する比較手段と、を含むサーバである。
請求項２に記載の発明は、印刷装置が紙幣類の印刷を行う際に当該紙幣類の各々に付した識別情報、当該印刷装置の設置位置に関する位置情報、および、当該印刷装置が紙幣類へ当該識別情報を付与した際の時刻に関する時刻情報を、紙幣類毎に記録する記憶手段と、読み取り装置により紙幣類から読み取られ当該読み取り装置から送信されてきた識別情報と同一の識別情報が前記記憶手段に記憶されている場合に、当該記憶手段に記憶されている当該識別情報を紙幣類へ付与した前記印刷装置の設置位置に関する前記位置情報と、当該読み取り装置の設置位置に関する位置情報とに基づき、当該印刷装置と当該読み取り装置との間を移動するのに要する所要時間を把握する所要時間把握手段と、前記読み取り装置により紙幣類から読み取られ当該読み取り装置から送信されてきた識別情報と同一の識別情報が前記記憶手段に記憶されている場合に、当該記憶手段に記憶されている当該識別情報を紙幣類へ付与した前記印刷装置が当該付与を行った際の第１の時刻情報と、当該読み取り装置が識別情報を読み取った際の第２の時刻情報とに基づき、当該第１の時刻情報により特定される時刻と当該第２の時刻情報により特定される時刻との時間差を把握する時間差把握手段と、前記所要時間把握手段により把握された前記所要時間と、前記時間差把握手段により把握された前記時間差とを比較する比較手段と、を含むサーバである。
【発明の効果】
【００１０】
本発明の請求項１によれば、偽造の判別の簡易化を可能とするサーバを提供可能となる。
本発明の請求項２によれば、偽造の判別の簡易化を可能とするサーバを提供可能となる。
【発明を実施するための最良の形態】
【００１２】
以下、添付図面を参照して、本発明の実施形態について詳細に説明する。
図１は、本実施形態に係る偽造監視システムを示した概略構成図である。
同図に示す偽造監視システムは、シリアル番号（識別情報の一例）が付された紙幣の印刷（発行）を行う印刷装置１０、紙幣に付されたシリアル番号を読み取る複数の読取装置２０を備えている。また、本偽造監視システムは、本システムの管理に用いられる管理用パーソナルコンピュータ（ＰＣ）４０、情報の格納や所定の処理を行うサーバ５０、及びサーバ５０のバックアップを行うバックアップサーバ６０を備えている。なお、これらの装置等は、ルータ１０ａ〜４０ａ，６０ａなどの中継装置を介して、インターネットなどのネットワーク７０に接続されている。
【００１３】
ここで、本実施形態では、２台の読取装置２０のみを例示するが、更なる数の読取装置２０を設けることも当然可能である。また、バックアップサーバ６０は、事故やテロなどの破壊行為に備え、サーバ５０から地理的に離れた場所に設置されている。さらに、本実施形態では、紙幣の偽造を判別する場合を一例に説明するが、有価証券、証明書、チケットなどに対しても適用することができる。即ち、紙幣類には、紙幣の他、有価証券、証明書、チケットなどの偽造がなされる可能性のある印刷物も含む。
【００１４】
ここで、図２は、印刷装置１０、読取装置２０、およびサーバ５０の機能構成を示したブロック図である。
同図に示すように、本実施形態における印刷装置１０は、ネットワーク７０を介してデータ通信を行う通信部１１と、用紙（媒体）に対して画像の形成を行う画像形成部１２と、印刷装置１０（装置本体）が設置されている住所や緯度・経度などの位置情報を格納する位置情報格納部１３と、時計１４とを備えている。
【００１５】
また、本実施形態における読取装置２０は、ネットワーク７０を介してデータ通信を行う通信部２１と、所定のプログラムに基づいて各種処理を実行する処理部２２と、紙幣に付されたシリアル番号を読み取るシリアル番号読み取り部２３とを備えている。また、読取装置２０は、読取装置２０（装置本体）が設置されている場所の住所や緯度・経度などの位置情報を格納する位置情報格納部２４と、読取装置２０の操作者（ユーザ）に対して所定の通知を行う通知部２５と、時計２６とを備えている。なお、本実施形態では、シリアル番号読み取り部２３が読み取り手段として機能し、通信部２１が送信手段、受信手段として機能する。また、通知部２５が出力手段として機能している。
【００１６】
ここで、シリアル番号読み取り部２３は、例えば特開２００６−７２９１８に開示された技術や、特開２００４−２１３５６０に開示された技術など、既存の技術を用いて構成することができる。例えば、紙幣より画像情報を取得する画像取得部と、画像取得部で取得された画像情報からシリアル番号を読み取る読み取り部と、から構成することができる。
位置情報格納部２４への位置情報の格納は、読取装置２０の設置者や操作者が、読取装置２０に設けられたキーボード（不図示）等の情報受付部を操作することで行うことができる。また、読取装置２０にＧＰＳ受信機を設け、処理部２２が、ＧＰＳ受信機にて取得された経度・緯度の情報を、位置情報格納部２４へ格納することで行うことができる。この場合、設置者等による位置情報の格納（入力）処理が省略可能となる。また、設置者等による位置情報の格納間違えなどを防止できる。
【００１７】
さらに、読取装置２０に、放送電波を受信するアンテナ（不図示）を設けるとともに、各地で放送されている電波の周波数を不図示のメモリ等に予め登録しておく。そして、処理部２２は、アンテナにて受信した電波の周波数の組み合わせから、読取装置２０が設置されている位置を特定し、この特定した位置情報を位置情報格納部２４に格納することができる。ここで、この手法により特定される位置には、５０ｋｍ〜１００ｋｍ程度の誤差が含まれる場合がある。なお、印刷装置１０における上記位置情報格納部１３に対する位置情報の格納も、位置情報格納部２４への位置情報の格納と同様に行うことができる。
【００１８】
また、本実施形態では、図示を省略しているが、読取装置２０は、上記の構成に加え、既知の偽造検出手段（不図示）を備えることもできる。この場合、読取装置２０は、シリアル番号の読み取り機能を備えた偽造検出装置と捉えることができる。さらに、読取装置２０は、スーパーマーケットなどにおけるＰＯＳシステム（レジスター）や、自動販売機、銀行などに設置されたＡＴＭ（現金自動預け払い機）などに組み込んだりすることもできる。
【００１９】
一方、サーバ５０は、ネットワーク７０を介してデータ通信を行う通信部５１、所定のプログラムに基づいて各種処理を実行する処理部５２、紙幣に付されたシリアル番号等の情報の格納を行う情報格納部５３、２つの地点間を移動するのに要する時間を格納した必要時間ＤＢ（データベース）５４、及び紙幣に付されたシリアル番号などの紙幣に関する情報を格納する紙幣情報ＤＢ（データベース）５５を備えている。なお、本実施形態では、情報格納部５３、紙幣情報ＤＢ５５が記憶手段として機能している。
【００２０】
ここで、本実施形態における偽造判別システムでは、印刷装置１０にて、シリアル番号が付与された紙幣が新たに発行された際、このシリアル番号等がサーバ５０の紙幣情報ＤＢ５５に格納される。図３は、紙幣が新たに発行される際になされる処理を示したものである。
【００２１】
印刷装置１０にて紙幣の発行が新たになされる際、形成手段および識別情報付与手段として機能する画像形成部１２は、まず、シリアル番号を有した画像を媒体に対して順次形成（付与）することで、紙幣を順次発行していく（ステップ１０１）。次いで、送信手段として機能する通信部１１は、シリアル番号、各紙幣の発行日時（付与時刻に関する時間情報）、及び印刷装置（装置本体）が設置されている場所の位置情報を、互いに関連付けた状態でサーバ５０に送信する（ステップ１０２）。そして、サーバ５０は、シリアル番号（付与識別情報）、発行日時、および位置情報を受信し（ステップ１０３）、受信したこれらの情報を紙幣情報ＤＢ５５に格納する（ステップ１０４）。
【００２２】
なお、印刷装置１０が付与するシリアル番号には、アルファベットなどの文字を含めることができる。さらに、印刷装置１０は、シリアル番号から暗号化された数値等の情報を、文字やバーコードなどの符号化した情報とし、この符号化した情報を紙幣に対して付することができる。また、本実施形態では、画像形成部１２がシリアル番号を有した画像を媒体に形成しているが、磁気コードなどによってシリアル番号を付与することもできる。
【００２３】
さらに、本実施形態における偽造判別システムでは、例えば読取装置２０にて、紙幣のシリアル番号が読み取られた場合、読み取られたこのシリアル番号等の情報が、サーバ５０における情報格納部５３に格納される。この処理について図４を用いて説明する。
【００２４】
図４は、読取装置２０およびサーバ５０における処理を示したものである。
まず、読取装置２０におけるシリアル番号読み取り部２３が、紙幣のシリアル番号の読み取りを行う（ステップ２０１）。その後、通信部２１は、このシリアル番号と、シリアル番号読み取り部２３がシリアル番号を読み取った際の読み取り時刻に関する時間情報と、読取装置２０が有する固有の装置ＩＤと、位置情報格納部２４に格納された位置情報と、をサーバ５０に送信する（ステップ２０２）。ここで通信部２１は、時計２６を参照することで上記読み取り時刻を把握する。また、上記装置ＩＤは、不図示の不揮発性メモリ等に格納されており、通信部２１は、この不揮発性メモリ等を参照することで装置ＩＤを取得する。
【００２５】
その後、サーバ５０における通信部５１は、シリアル番号（読み取り識別情報、送信識別情報）、読み取り時刻（時間情報）、装置ＩＤ、および位置情報を受信し（ステップ２０３）、これらの情報を一定期間（例えば、一週間）、情報格納部５３に格納する（ステップ２０４）。ここで、通信部５１は、読み取り時刻（時間情報）、位置情報を取得する取得手段と捉えることもできる。なお、本実施形態では、時間情報が読取装置２０から送信されてくる場合を説明したが、通信部５１がシリアル番号を受信した時刻を時間情報と捉えることも可能であり、この場合は、処理部５２等が取得手段として機能する。
【００２６】
また、サーバ５０は、読取装置２０から、シリアル番号などの上記情報を受信した際に、次のような処理も実行する。図５は、サーバ５０が実行する処理を示したものである。
受信手段として機能する通信部５１がシリアル番号、読み取り時刻（時間情報）、装置ＩＤ、および位置情報を受信すると（ステップ３０１）、判断手段として機能する処理部５２は、情報格納部５３の検索を行い（ステップ３０２）、受信したシリアル番号と同一のシリアル番号が情報格納部５３に存在するか否か判断する（ステップ３０３）。
【００２７】
そして、処理部５２が同一のシリアル番号が存在すると判断した場合、送信手段として機能する通信部５１は、同一のシリアル番号が存在する旨、このシリアル番号を先に読み取った読取装置（他の読取装置）の位置情報、及び、この読取装置（他の読取装置）がシリアル番号を読み取った際の読み取り時刻（時間情報）、を読取装置２０に送信する（ステップ３０４）。一方、処理部５２は、同一のシリアル番号が存在しないと判断した場合、通信部５１を介し、同一のシリアル番号は存在しない旨を読取装置２０に送信する（ステップ３０５）。
【００２８】
ここで、読取装置２０は、同一のシリアル番号が存在する旨、このシリアル番号を先に読み取った読取装置の位置情報、及び、この読取装置がシリアル番号を読み取った際の読み取り時刻、を受信した場合、通知部２５を介して、これらの情報を読取装置２０の操作者（ユーザ）に通知する。なお、読取装置２０は、同一のシリアル番号は存在しない旨の情報を受信した場合、通知部２５を介し、この情報を操作者に対して通知する。なお、通知部２５による情報の通知は、不図示のディスプレイへの表示などにより行うことができる。
【００２９】
紙幣などの印刷物は航空機などの物理的な輸送手段により運ばれるため、同一のシリアル番号が付された紙幣が遠方でほぼ同時に使用されることはありえない。例えば、読取装置２０が東京に存在し、通知部２５にて通知された位置情報がニューヨーク市内であり、また読取装置２０にて読み取りを行った時刻と通知部２５から通知された読み取り時刻との差が１０時間以内である場合、両地点間の移動時間を考慮すると読み取り時刻の差が不自然である。このような場合、読取装置２０にてシリアル番号が読み取られた紙幣に偽造の可能性がある。
【００３０】
ここで、上記ステップ３０４では、読取装置２０に対して、同一のシリアル番号が存在する旨等を送信したが、先にシリアル番号の読み取りが行われた紙幣が偽造である可能性もある。また、先に読み取りが行われた紙幣、および読取装置２０にて後に読み取りが行われた紙幣の両者が偽造の可能性もある。このため、この同一のシリアル番号が存在することが判明した場合、先にシリアル番号の読み取りを行った読取装置（他の読取装置）に対しても、同一のシリアル番号が存在する旨等の情報を送信することができる。さらに、管理用ＰＣ４０に対しても、同一のシリアル番号が存在する旨等を送信することができる。
【００３１】
なお、場合によっては同一のシリアル番号を有した複数の偽造紙幣が数時間以内の短時間のうちに使用され、同一のシリアル番号が短時間のうちに複数の読取装置にて読み取られる場合がある。このような場合は、サーバ５０に、複数の同一のシリアル番号が短時間の内に送信されてくることになる。このような場合、サーバ５０における処理部５２は、これらの紙幣が偽造である可能性が高いと判断し、その旨を読取装置の各々に対して送信することができる。
【００３２】
また、読取装置２０が自動販売機に組み込まれている場合において、同一のシリアル番号が存在するとサーバ５０にて判断された場合、自動販売機は、シリアル番号を読み取った紙幣の入金を拒否することができる。また、読取装置２０がＡＴＭに組み込まれている場合において、同一のシリアル番号が存在するとサーバ５０にて判断された場合、ＡＴＭは、シリアル番号を読み取った紙幣の入金を拒否することができる。さらに、この紙幣を銀行の窓口に持ち込むよう、不図示の表示パネルに指示を表示することもできる。
【００３３】
さらに、図６に示す処理を行うことも可能である。図６は、処理部５２が実行する処理を示している。
処理部５２は、シリアル番号、読み取り時刻、装置ＩＤ、および位置情報を受信した場合（ステップ４０１）、紙幣情報ＤＢ５５を検索し（ステップ４０２）、受信したシリアル番号と同一のシリアル番号が紙幣情報ＤＢ５５に存在するか否かを判断する（ステップ４０３）。そして、処理部５２は、紙幣情報ＤＢ５５に同一のシリアル番号が存在しないと判断した場合、例えば、紙幣がデータベースに登録されていない旨の情報や、読み取りを行った紙幣が偽造である可能性が高い旨の情報を、読取装置２０に対して送信する（ステップ４０５）。なお、処理部５２は、紙幣情報ＤＢ５５に同一のシリアル番号が存在すると判断した場合、例えば同一のシリアル番号が存在する旨の情報を読取装置２０に対して送信する（ステップ４０４）。
【００３４】
紙幣の偽造は、既に発行された紙幣に基づかず、適当なシリアル番号が付されて行われる場合があり、同一のシリアル番号が付された紙幣が存在しない場合も生じうる。紙幣情報ＤＢ５５を参照することで、このような場合であっても紙幣の偽造を判別することができる。
なお、印刷装置１０にて紙幣の発行がなされる時点で、紙幣に対し、シリアル番号に基づき所定のアルゴリズムで生成したチェックデジットを付しておくこともできる。そして、サーバ５０は、このチェックデジットを利用して紙幣の偽造可能性を判別することもできる。
【００３５】
また、読取装置２０は、シリアル番号等に情報受付部（不図示）にて受け付けた他の情報を付帯させて、シリアル番号等をサーバ５０に送信することができる。この付帯情報には、例えば、紙幣の保管を開始した旨の情報や、紙幣の保管を終了した旨の情報を含ませることができる。また、付帯情報には、読取装置２０が設置された具体的な場所を含ませることができる。そして、サーバ５０は、これらの付帯情報を情報格納部５３に格納する。
【００３６】
例えば、銀行に設置された読取装置２０は、紙幣から読み取ったシリアル番号等とともに、付帯情報として、読取装置２０の設置場所が銀行である旨の情報や、この設置場所に紙幣の保管を開始した旨の情報をサーバ５０に送信することができる。そして、サーバ５０は、シリアル番号等とともに、これらの情報を情報格納部５３に格納する。
そして、この状態にて、他の読取装置から同一のシリアル番号が送信されてきた場合、サーバ５０は、例えば、この他の読取装置にてシリアル番号が読み取られた紙幣が偽造である可能性が高いと判断する。そして、サーバ５０は、この他の読取装置に対して、例えば、偽造の可能性が高い旨の情報を送信する。
【００３７】
銀行にて紙幣が保管される場合、保管開始時に紙幣の真贋がチェックされることが多く、銀行にて保管されている紙幣は真正なものである可能性が高い。このため、銀行にて保管されている紙幣のシリアル番号と同一のシリアル番号を有した紙幣については偽造の可能性が高いことになる。
なお、銀行での保管が終了し紙幣が外部に持ち出される場合、例えば読取装置２０にてシリアル番号の再度の読み取りが行われる。そして、読取装置２０は、シリアル番号、および保管が終了した旨の付帯情報をサーバ５０に送信する。そして、サーバ５０は、シリアル番号をキーとして、保管が終了した旨の情報を情報格納部５３に格納する。
【００３８】
以上の処理により、操作者等に対し、同一のシリアル番号が存在する旨や、読取装置の位置情報が通知される。そして、操作者は、この通知された内容に基づき紙幣の偽造可能性を判断することができる。ところで、通知される位置情報が東京やニューヨークなど大都市である場合には問題ないが、通知される位置を操作者が知らない場合がある。この場合、操作者は、紙幣が偽造されたものか否かを判断することが困難となる。そこで、以下に記すような処理を行うこともできる。
【００３９】
ここで、図７は、サーバ５０にて実行される処理を示している。本処理では、上記ステップ３０１〜３０３と同様に、まず通信部５１が、読取装置２０から、シリアル番号、読み取り時刻、装置ＩＤ、および位置情報を受信する（ステップ５０１）。次いで、処理部５２が、情報格納部５３の検索を行い（ステップ５０２）、受信したシリアル番号と同一のシリアル番号が情報格納部５３に存在するか否か判断する（ステップ５０３）。ここで、処理部５２は、同一のシリアル番号が存在しないと判断した場合、上記ステップ３０５と同様に、同一のシリアル番号は存在しない旨の情報を読取装置２０に送信する（ステップ５１０）。
【００４０】
一方、処理部５２は、ステップ５０３にて同一のシリアル番号が存在すると判断した場合、情報格納部５３から、この同一のシリアル番号を先に読み取った読取装置の位置情報と、この読取装置によるシリアル番号の読み取り時刻と、を取得する（ステップ５０４）。次いで、必要時間取得手段として機能する処理部５２は、必要時間ＤＢ５４を参照し、ステップ５０１にて受信した位置情報とステップ５０４にて取得した位置情報とに基づき、ステップ５０１にて受信した位置情報により特定される位置とステップ５０４にて取得した位置情報により特定される位置との間（両地点間）を移動するのに要する時間（必要時間）を把握する（ステップ５０５）。ここで、必要時間ＤＢ５４には、世界各地の住所や、緯度及び経度などの位置情報と、位置情報により特定される位置間を移動するのに要する時間とが格納されている。処理部５２は、このような情報が格納された必要時間ＤＢ５４を参照することで、上述の必要時間を把握する。
【００４１】
なお、必要時間ＤＢ５４には、例えば、次のような情報を格納することができる。ここで、図８は、必要時間ＤＢ５４に格納される情報を説明するための図である。
必要時間ＤＢ５４には、例えば、世界各地に設けられた空港間の移動時間（飛行時間）を格納することができる。また、空港を中心としたブロックに分割するとともに（Ａ，Ｂ，Ｃ参照）、各ブロックを複数の二次ブロックに分割する。そして、必要時間ＤＢ５４には、更に、空港が含まれる二次ブロック（Ａ１，Ｂ１，Ｃ１参照）と空港の周囲に位置する二次ブロック（Ａ２〜Ａ６，Ｂ２〜Ｂ６，Ｃ２〜Ｃ６参照）との間を移動するのに要する時間を格納することができる。
【００４２】
例えば、上記ステップ５０１にて受信した位置情報により特定される位置が、ブロックＡにおける二次ブロックＡ２内であり、ステップ５０４にて取得した位置情報から特定される位置がブロックＣにおける二次ブロックＣ５内であった場合、ステップ５０５にて処理部５２が把握する必要時間は、二次ブロックＡ２から二次ブロックＡ１への移動に要する時間、ブロックＡからブロックＣへの移動に要する時間、及び二次ブロックＣ１から二次ブロックＣ５への移動に要する時間の合計となる。
【００４３】
ステップ５０５の終了後、時間差取得手段として機能する処理部５２は、ステップ５０１にて受信した読み取り時刻と、ステップ５０４にて取得した読み取り時刻との時間差（以下、「読取時刻差」と称する）を把握する（ステップ５０６）。その後、処理部５２は、ステップ５０５にて把握した必要時間（所定値の一例）が、ステップ５０６にて把握した読取時刻差よりも大きいか否かを判断する（ステップ５０７）。換言すれば、比較手段としての機能する処理部５２は、ステップ５０５にて把握した必要時間と、ステップ５０６にて把握した読取時刻差とを比較する。
【００４４】
そして、処理部５２にて必要時間の方が読取時刻差よりも大きいと判断された場合、通信部５１は、読取装置２０に対し、例えば、同一のシリアル番号が存在する旨の情報、および偽造の可能性がある旨の情報（所定の情報の一例）を送信し（ステップ５０８）、処理を終了する。一方、処理部５２にて必要時間が読取時刻差以下であると判断された場合、通信部５１は、読取装置２０に対し、例えば、同一のシリアル番号が存在する旨の情報、および注意を要する旨の情報（所定の情報の一例）を送信し（ステップ５０９）、処理を終了する。なお、上記と同様に、サーバ５０は、先に読み取りを行った読取装置や管理用ＰＣ４０に対しても、情報の送信を行うことができる。
【００４５】
さらに、サーバ５０は、次のような処理を行うこともできる。ここで、図９は、サーバ５０にて実行される処理を示したものである。
本処理では、上記ステップ５０１と同様に、まず通信部５１が、読取装置２０から、シリアル番号、読み取り時刻、装置ＩＤ、および位置情報を受信する（ステップ６０１）。次いで、処理部５２は、紙幣情報ＤＢ５５の検索を行い（ステップ６０２）、ステップ６０１にて受信したシリアル番号と同一のシリアル番号が紙幣情報ＤＢ５５に存在するか否かを判断する（ステップ６０３）。ここで、処理部５２は、同一のシリアル番号が存在しないと判断した場合、例えば、同一のシリアル番号が存在しない旨、及び偽造の可能性が高い旨を読取装置２０に送信する（ステップ６１０）。
【００４６】
一方、処理部５２は、ステップ６０３にて同一のシリアル番号が存在すると判断した場合、紙幣情報ＤＢ５５を参照し、このシリアル番号が付された紙幣の発行日時（時間情報）、およびこのシリアル番号が付された紙幣を発行した印刷装置１０の位置情報を取得する（ステップ６０４）。次いで、必要時間取得手段として機能する処理部５２は、必要時間ＤＢ５４を参照し、ステップ６０１にて受信した位置情報により特定される位置と、ステップ６０４にて取得した位置情報により特定される位置との間を移動するのに要する時間（必要時間）を把握する（ステップ６０５）。その後、時間差取得手段として機能する処理部５２は、ステップ６０１にて受信した読み取り時刻と、ステップ６０４にて取得した発行日時との時刻差を把握する（ステップ６０６）。その後、処理部５２は、ステップ６０５にて把握した必要時間が、ステップ６０６にて把握した時刻差よりも大きいか否かを判断する（ステップ６０７）。換言すれば、比較手段として機能する処理部５２は、ステップ６０６にて把握した時刻差と、ステップ６０５にて把握した必要時間（所定時間）とを比較する。
【００４７】
そして、通信部５１は、処理部５２にて必要時間の方が時刻差よりも大きいと判断された場合、読取装置２０に対し、例えば、偽造の可能性が高い旨の情報（所定の情報）を送信し（ステップ６０８）、処理を終了する。一方、通信部５１は、処理部５２にて必要時間が時刻差以下であると判断された場合、読取装置２０に対し、例えば、偽造の可能性が低い旨の情報（所定の情報）を送信し（ステップ６０９）、処理を終了する。
例えば、日本で所定のシリアル番号を有した紙幣が発行されてから数時間後に、同一のシリアル番号を有した紙幣がアメリカで使用されるのは不自然である。本実施形態では、このような場合であっても読取装置２０の操作者に注意を喚起することが可能となる。なお、上記と同様に、サーバ５０は、管理用ＰＣ４０に対しても、情報の送信を行うことができる。
【図面の簡単な説明】
【００４８】
【図１】本実施形態に係る偽造監視システムを示した概略構成図である。
【図２】印刷装置、読取装置、およびサーバの機能構成を示したブロック図である。
【図３】紙幣が新たに発行される際になされる処理を示したものである。
【図４】読取装置およびサーバにおける処理を示したものである。
【図５】サーバが実行する処理を示したものである。
【図６】処理部が実行する処理を示している。
【図７】サーバにて実行される処理を示している。
【図８】必要時間ＤＢに格納される情報を説明するための図である。
【図９】サーバにて実行される処理を示したものである。
【符号の説明】
【００４９】
１０…印刷装置、１２…画像形成部、２０…読取装置、２１…通信部、２３…シリアル番号読み取り部、２５…通知部、５０…サーバ、５１…通信部、５２…処理部、５３…情報格納部、５５…紙幣情報ＤＢ
【図１】
0005205925.tif 000002
【図２】
0005205925.tif 000003
【図３】
0005205925.tif 000004
【図４】
0005205925.tif 000005
【図５】
0005205925.tif 000006
【図６】
0005205925.tif 000007
【図７】
0005205925.tif 000008
【図８】
0005205925.tif 000009
【図９】
0005205925.tif 000010